(57)【要約】【課題】弁体２に弁軸２１を介して連結されるアーマチュア３を付勢手段５の付勢力に抗して吸着する電磁石４を備えるガス電磁弁において、様々な温度変化があった場合、ガスに何らかの原因で混入した気体状の異物がアーマチュア３の電磁石４に対する当接面３ａや電磁石４のアーマチュア３に対する当接面４ａに結露する恐れがあり、これら当接面３ａ，４ａが結露液により腐食することを防止できるようにする。【解決手段】アーマチュア３の電磁石４に対する当接面３ａと電磁石４のアーマチュア３に対する当接面４ａとを加熱する加熱手段を設ける。加熱手段は、好ましくは、弁筐１の外面に装着したヒータ８で構成される。【選択図】図１
2020148365.tif 000002
【特許請求の範囲】
【請求項１】
ガス流路に介設されるガス電磁弁であって、弁筐内の弁座に対向する弁体と、弁体に弁軸を介して連結されるアーマチュアと、アーマチュアに対向するように配置され、アーマチュアを吸着することで弁体を弁座から離れた開弁位置又は弁座に着座する閉弁位置に保持する電磁石と、弁体を電磁石からアーマチュアが離れる方向に付勢する付勢手段とを備えるものにおいて、
アーマチュアの電磁石に対する当接面と電磁石のアーマチュアに対する当接面とを加熱する加熱手段を備えることを特徴とするガス電磁弁。
【請求項２】
弁筐の外面に装着するヒータで加熱手段が構成され、ヒータにより弁筐を介してアーマチュアの電磁石に対する当接面と電磁石のアーマチュアに対する当接面とが加熱されることを特徴とする請求項１記載のガス電磁弁。
【発明の詳細な説明】
【技術分野】
【０００１】
本発明は、ガスコンロ等のガス器具のガス流路に介設されるガス電磁弁に関する。
【背景技術】
【０００２】
従来、この種のガス電磁弁は、弁筐内の弁座に対向する弁体と、弁体に弁軸を介して連結されるアーマチュアと、アーマチュアに対向するように配置され、アーマチュアを吸着することで弁体を弁座から離れた開弁位置又は弁座に着座する閉弁位置に保持する電磁石と、弁体を電磁石からアーマチュアが離れる方向に付勢する付勢手段とを備えている（例えば、特許文献１参照）。
【０００３】
ところで、様々な温度変化があった場合、アーマチュアの電磁石に対する当接面や電磁石のアーマチュアに対する当接面に、ガスに何らかの原因で混入した気体状の異物が凝縮して結露することがある。そして、結露液がこれら当接面に付着したまま放置されると、これら当接面が腐食し、アーマチュアの吸着不良を生ずることがある。
【先行技術文献】
【特許文献】
【０００４】
【特許文献１】特開２０１３−３６５５９号公報
【発明の概要】
【発明が解決しようとする課題】
【０００５】
本発明は、以上の点に鑑み、アーマチュアの電磁石に対する当接面や電磁石のアーマチュアに対する当接面の結露液による腐食を防止できるようにしたガス電磁弁を提供することをその課題としている。
【課題を解決するための手段】
【０００６】
上記課題を解決するために、本発明は、ガス流路に介設されるガス電磁弁であって、弁筐内の弁座に対向する弁体と、弁体に弁軸を介して連結されるアーマチュアと、アーマチュアに対向するように配置され、アーマチュアを吸着することで弁体を弁座から離れた開弁位置又は弁座に着座する閉弁位置に保持する電磁石と、弁体を電磁石からアーマチュアが離れる方向に付勢する付勢手段とを備えるものにおいて、アーマチュアの電磁石に対する当接面と電磁石のアーマチュアに対する当接面とを加熱する加熱手段を備えることを特徴とする。
【０００７】
本発明によれば、アーマチュアの電磁石に対する当接面や電磁石のアーマチュアに対する当接面に付着した結露液は、加熱手段によるこれら当接面の加熱で蒸発する。そのため、結露液によるこれら当接面の腐食を防止でき、腐食に起因するアーマチュアの吸着不良を防止できる。
【０００８】
また、本発明においては、弁筐の外面に装着するヒータで加熱手段が構成され、ヒータにより弁筐を介してアーマチュアの電磁石に対する当接面と電磁石のアーマチュアに対する当接面とが加熱されることが望ましい。これによれば、加熱手段の構造及び取付けが簡素化され、コストアップを抑制することができる。
【図面の簡単な説明】
【０００９】
【図１】本発明の実施形態のガス弁装置の切断側面図。
【図２】実施形態のガス弁装置の電磁石を励磁した状態の切断側面図。
【発明を実施するための形態】
【００１０】
図１に示す本発明の実施形態のガス電磁弁は、安全弁として用いられるものであり、ガス流入口１１とガス流出口１２とを有する弁筐１内に設けられた弁座１３の軸方向一方に対向する弁体２と、弁体２に軸方向一方にのびる弁軸２１を介して連結されたアーマチュア３と、アーマチュア３の軸方向一方に対向するように配置され、アーマチュア３を吸着することで弁体２を弁座１３から離れた開弁位置に保持する電磁石４と、弁体２を電磁石４からアーマチュア３が離れる方向（軸方向他方）に付勢する付勢手段５とを備えている。電磁石４は、一対のコア４１，４１と、一方のコア４１に外装した電磁コイル４２とで構成されている。
【００１１】
弁座１３は、アルミダイキャスト製の弁筐１内に内挿される樹脂製の内ケース１４に形成されている。また、弁筐１内の軸方向他方の端部近傍には、ガス流出口１２の上流側の元弁用弁座１５が設けられている。そして、弁筐１内に、軸方向他方の端部から挿入される操作ロッド６を設け、この操作ロッド６に、元弁用弁座１５の軸方向一方に対向する元弁用弁体７を固定し、更に、操作ロッド６を戻しバネ６１により元弁用弁体７を介して軸方向他方に付勢している。
【００１２】
操作ロッド６は、点火操作時に軸方向一方に押動操作される。そして、この押動操作により、元弁用弁体７が元弁用弁座１５から離間して元弁が開弁すると共に、操作ロッド６がガス電磁弁の弁体２に当接して、弁体２をアーマチュア３が電磁石４に当接する開弁位置まで押動させる。この状態で電磁コイル４２に通電して電磁石４を励磁し、アーマチュア３を一対のコア４１，４１に跨るようにして吸着し、弁体２を開弁位置に保持する。その後、操作ロッド６を、弁体２に対する押圧は解除するが、元弁は開弁状態に維持される図２に示す位置まで復動させ、この状態に待機させる。バーナが失火したときは、電磁コイル４２への通電を停止し、電磁石４に対するアーマチュア３の吸着を解除して、弁体２を付勢手段５の付勢力で弁座１３に着座する閉弁位置に復帰させる。
【００１３】
ところで、様々な温度変化があった場合、アーマチュア３の電磁石４に対する当接面３ａ（アーマチュア３の図１、図２で右端面）や電磁石４のアーマチュア３に対する当接面４ａ（各コア４１の図１、図２で左端面）に、ガスに何らかの原因で混入した気体状の異物が凝縮して結露することがある。そして、結露液がこれら当接面３ａ，４ａに付着したまま放置されると、これら当接面３ａ，４ａが腐食し、アーマチュア３の吸着不良を生ずることがある。
【００１４】
そこで、本実施形態では、アーマチュア３の電磁石４に対する当接面３ａと電磁石４のアーマチュア３に対する当接面４ａとを加熱する加熱手段を設けている。より具体的には、弁筐１の外面に加熱手段たるヒータ８を装着し、このヒータ８により弁筐１を介してアーマチュア３の電磁石４に対する当接面３ａと電磁石４のアーマチュア３に対する当接面４ａとが加熱されるようにしている。
【００１５】
これによれば、上記当接面３ａ，４ａに付着した結露液は、当接面３ａ，４ａの加熱で蒸発する。そのため、結露液による当接面３ａ，４ａの腐食を防止でき、腐食に起因するアーマチュア３の吸着不良を防止できる。更に、加熱手段を弁筐１の外面に装着するヒータ８で構成することにより、加熱手段の構造及び取付けが簡素化され、コストアップを抑制することができる。尚、ヒータ８の通電加熱は、ガス電磁弁の雰囲気温度がガスに混入した気体状異物の凝縮を生ずる可能性のある所定温度以下に低下したときに行うことが望ましい。
【００１６】
以上、本発明の実施形態について図面を参照して説明したが、本発明はこれに限定されない。例えば、上記実施形態のガス電磁弁は、アーマチュア３を電磁石４に吸着することで弁体２を弁座１３から離れた開弁位置に保持する常閉型の弁であるが、アーマチュアを電磁石に吸着することで弁体を弁座に着座する閉弁位置に保持する常開型の弁にも同様に本発明を適用できる。また、電磁石をモータにより進退自在とし、弁体が閉弁位置に存する状態で電磁石を前進させてアーマチュアに当接させ、電磁石の励磁でアーマチュアを吸着した状態で電磁石を後退させて、弁体を付勢手段に抗して開弁位置に移動保持する、所謂モータ安全弁のようなガス電磁弁にも同様に本発明を適用できる。
【符号の説明】
【００１７】
１…弁筐、１３…弁座、２…弁体、２１…弁軸、３…アーマチュア、３ａ…アーマチュアの電磁石に対する当接面、４…電磁石、４ａ…電磁石のアーマチュアに対する当接面、５…付勢手段、８…ヒータ（加熱手段）。
【図１】
2020148365.tif 000003
【図２】
2020148365.tif 000004